(57)【要約】      （修正有）【課題】膝と腰を外部の衝撃から守り、四季を通じて快適に使用できる衝撃吸収スポーツパンツを提供する。【解決手段】ステテコ型であり、褌型部分の表地としてメリヤス生地を使用し、その裏側にメッシュ生地を重ね合わせ、左右の縁と底を縫い止めるか接着剤で貼り付け、衝撃吸収用スポンジパッドを挿入する。膝が当たる部分は、メッシュ生地の裏側にメリヤス生地を重ねてポケットとし、衝撃吸収用スポンジパッドを挿入する。【選択図】図１
0003170542.tif 000002
【実用新案登録請求の範囲】
【請求項１】
本考案は、人が転んだときなどに受ける外部の衝撃から膝や腰周辺を保護する構造と、老齢化の進行に伴う尿漏れを防ぐ構造を併せ持つパンツに関するもので、市販されている膝専用サポーターは膝の頂点に穴をあけたり、薄い本体の生地そのままであったりして、外からの衝撃には無防備状態であるが、本考案のパンツは逆に外部の衝撃から両膝や腰を守ることを主目的とするステテコ型で、腰から両膝に被さる長さを約５５０ミリメートルとし、最上部に幅約３０ミリメートル、胴周りの長さを約８２０ミリメートルとしてゴム系腰ベルトをつけ、腰ベルト下の左右の腰骨間を尻側で結ぶ長さを約６００ミリメートル、幅約７０ミリメートル、その底辺の中心から股間部まで１８０ミリメートル、腹側は股間部から上へ腰ベルト下までの約２５０ミリメートル、縦の長さの合計を５００ミリメートルとする褌型部分の表地としてメリヤス生地を使用し、その裏側にメッシュ生地を重ね合わせて、左右の縁と底を縫い止めるか接着剤で貼り付け、最上部を開いた形にして、腰ベルトの底辺から約１３０ミリメートル下った尾▲てい▼骨付近までを一区画とするＴ型ポケットとし、Ｔ型ポケットの大きさに相当する厚さ約１５ミリメートルの少し固めで弾力性のある衝撃吸収用スポンジパットを腰および尾▲てい▼骨周辺の保護用として挿入し、衝撃吸収用スポンジパット挿入用Ｔ型ポケットの底に接続する位置と、股間部から腹側へ約２００ミリメートル立ち上った位置にそれぞれ挿入口をつけて両方から挿入できるポケットとし、尿漏れ吸収パットまたは生理用パットを必要に応じて装着するか、最初から何れかのパットを挿入して固定してもよく、転倒した時などにパンツの裾がずり上がって膝が丸出しにならないように両脚外側の縫代を、下から約１００ミリメートルだけ縫い合わさずに開閉できる構造にし、両脚の裾周りには約３０ミリメートル幅のメリヤス生地を使用し、直径２０ミリメートル程度のマジックテープをつけて開閉できるようにして、両膝が当るメッシュ生地の裏側に薄地のメリヤス生地を重ね合せてポケットとし、縦約１００ミリメートル、横約１２０ミリメートルの矩形で、厚さが約１５ミリメートルの少し固めで弾力性のある衝撃吸収用スポンジパットを挿入して、肌と接触しない側のスポンジパットの表面とパンツの表生地の裏側に、直径約３０ミリメートルのマジックテープで貼りつけて脱着できるようにし、また男性用は排尿し易いように陰部の出し入れ口を開けるが女性用は閉じた構造にし、褌型部分と両膝裾廻り以外の本体にメッシュ生地を使用して、夏は風を通して涼しく、冬は暖かい空気を内部に保留し、四季を通じて快適に着用できる上、とくに致命傷の原因となる両膝と腰周辺を外部の衝撃から守るとともに、尿漏れまたは生理用対策を加えた三機能を一体化し、面倒な履き換えなどの手間をたったの一回で済ますことが出来るようにした衝撃吸収スポーツパンツ。
【考案の詳細な説明】
【技術分野】
【０００１】膝・腰周辺を外部の衝撃から守ることを主目的とし、パンツの股間部の前後を褌型として表地にメリヤス生地を使用し、裏地にメッシュ生地を重ねてポケット型として衝撃吸収用スポンジパットを挿入するとともに、その他の本体生地にはメッシュ生地を使用して四季を通じて快適に使用でき、かつ尿漏れ防止用パットまたは生理用パットを装着して、三度の装着行動を一度の履き替えで済ますことが出来る機能的パンツに関するものである。
【背景技術】
【０００２】膝を保護する専用パットは数多く市販されているが、パンツと膝保護用パットと一体化したものはなく、また膝専用パットのほとんどは膝関節の曲げ機能だけを考慮して、膝の頂点に穴を開けたり薄くして、外部からの衝撃を防ぐための配慮はしておらず、骨組織の退化が進む高齢者スポーツ人口の増加という現状を考えれば、膝・腰への外部衝撃に対応し、かつ重ね着する手間を省ける製品こそ時代が要求していると言える。
【考案の開示】
【考案が解決しようとする課題】
【０００３】１．パンツの裾は、膝下までの長さとする。
２．膝・腰周辺の保護と尿漏れ防止を、パンツ一枚に集約する。
３．メッシュ生地を使用し、夏は風を通して涼しく、冬は暖かい空気を内部に確保し、四    季を通じて使用できる製品にする。
【問題を解決するための手段】
【０００４】１．パンツの裾を、両膝に被さる長さにしたステテコ型とする。
２．両膝を外部衝撃から保護するために、パンツの両裾に厚さ約１５ミリメートルのスポ    ンジパットを縦約１００ミリメートル、横約１２０ミリメートルの大きさにして装着    する。
３．両脚外側の縫い目を下から上へ約１００ミリメートル開け、裾にマジックテープをつ    けて開閉できる形にして、転倒した時などに両膝を保護するスポンジパットがずり上    がらないようにする。
４．左右の腰骨間を尻廻りで結び、その中心部から尾▲てい▼骨・股間部を経て腰ベルト    の腹側に至る褌型部分の表地にメリヤス生地を使用し、裏側に薄地のメッシュ生地を    重ねて褌型全体をポケットとし、腰廻りと尾▲てい▼骨までのＴ型部分に区切りをつ    けて外部衝撃を吸収する厚さ約１５ミリメートルのスポンジパットを装着し、その区    切りの下に開口部をつけて尿漏れ吸収パットまたは生理用パットを必要に応じて挿入    できるようにする。
５．男性用は排尿し易いように陰部相当箇所を開けるが、女性用は開ける必要がない。
６．左右の両腰間と、その中心の尻側から股間部を経て腹側に至る褌型部分の表地として    メリヤス生地を使用し、ポケット用の裏地として粗めのメッシュ生地を重ねて使用す    る。
７．その他の本体生地には、夏は風を通して涼しく、冬は暖気を確保して暖かいメッシュ    生地を使用する。
【考案の効果】
【０００５】    １．人が前向きに転倒した時には膝周辺が傷つきやすく、横や後ろ向きに倒れた時に        は腰周辺が傷つきやすく致命傷の原因にもなるが、足腰を保護する約１５ミリメ        ートル厚の外部衝撃を吸収するスポンジパットを装着しているので、とくに骨組        織が弱くなっている高齢者には有効である。
２．膝と腰保護用スポンジパットに加えて、尿漏れ吸収パットを装着した三機能一体        型なので、別売りのスポンジパットを装着するなどの手間がいらず、パンツ一枚        の履き替えだけで済み、高齢者には重ね着の面倒も手間も省かれる。
３．腰および尾▲てい▼骨周辺を保護し、尿漏れ吸収パットまたは生理用パットを挿        入する褌型部分の外には、メッシュ生地を使用しているので薄着の夏は風を通し        て涼しく、厚着の冬は暖かい空気を内部に確保し、四季を通じて快適に使用でき        る。
【考案を実施するための最良の形態】
【０００６】１．パンツは腰から両膝に被さるステテコ型とし、長さは約５５０ミリメートルとする。
２．パンツの最上部に、幅約３０ミリメートル、腰周り約８２０ミリメートルとしてゴム    系腰ベルトをつける。
３．腰ベルト下の左右の腰骨を尻側で結ぶ、長さ約６００ミリメートル、幅約７０ミリメ    ートルと、その底辺の中心から股間部までの約１８０ミリメートル、腹側は股間部か    ら上へ腰ベルト下までの約２５０ミリメートル、腰ベルト下の腹側から股間部を経て    尻側に至る長さの合計５００ミリメートルとする褌型部分の表地としてメリヤス生地    を使用する。
４．褌型部分の裏側にメッシュ生地を重ね合わせて、左右の縁と底に沿って縫い止めるか    接着剤で貼り付けて最上部を開いた形にし、腰ベルトの底辺を尻側から約１３０ミリ    メートル下った尾▲てい▼骨付近までを一区画として区切り、ポケットとて使用する    。
５．Ｔ型ポケットの大きさに相当する、厚さ約１５ミリメートルの少し固めで弾力性のあ    る衝撃吸収用スポンジパットを腰および尾▲てい▼骨周辺を保護するために挿入し、    右と左に一カ所づつスポンジパットの表面とメリヤス生地の裏側をそれぞれ繋ぐ、直    径３０ミリメートル程度のマジックテープをつけてスポンジパットをつけ外しできる    形にする。
６．衝撃吸収用スポンジパットを挿入するＴ型ポケットの底に接続する位置と、股間部か    ら腹側へ約２００ミリメートル立ち上った位置にそれぞれ挿入口をつけて両方から出    し入れできるポケットとし、尿漏れ吸収パットまたは生理用パットを必要に応じて装    着するか、最初から何れかのパットを挿入して固定しておいてもよい。
７．両脚外側の縫代は、下から約１００ミリメートルだけ縫い合わさずに開閉できる構造    にし、転倒した時などにパンツの裾がずり上がって膝が丸出しにならないよう、両脚    の裾周りに幅約３０ミリメートルのメリヤス生地を使用し、直径約２０ミリメートル    のマジックテープをつけて開閉できるようにする。
８．両膝が当るメッシュ生地の裏側に、薄地のメリヤス生地を重ね合せて衝撃吸収用スポ    ンジパットを挿入するポケットとし、縦約１００ミリメートル、横約１２０ミリメー    トルの矩形で、厚さが約１５ミリメートルの少し固めで弾力性のある衝撃吸収用スポ    ンジパットを挿入して、肌と接触しない側のスポンジパットの表面とパンツの表生地    の裏側に、直径約３０ミリメートルのマジックテープをつけて脱着出来るようにする    。
９．陰部の当る部分の構造は、男性用は排尿し易いように陰部の出し入れ口をつけ、女性    用は閉じた形にする。
【実施例】
【０００７】  以下の図面に従って説明する。
【図面の簡単な説明】
【０００８】
【図１】  本考案の側面断面図で、膝と腰周辺を外部衝撃から守るスポンジパットおよび尿漏れ吸収パットまたは生理用パットの装着位置を示している。
【図２】  本考案の正面図で、膝と腰周辺を外部衝撃から守るスポンジパットおよび尿漏れ吸収パットまたは生理用パットの装着位置を示している。
【符号の説明】
【０００９】１．膝を守るスポンジパット。
２．腰骨を守るスポンジパット。
３．尾▲てい▼骨を守るスポンジパット。
４．尿漏れ吸収パットまたは生理用パットの挿入用ポケット。
５．パンツ裾の外側開口部。
６．パンツ裾外側開口部の開閉用マジックテープ。
【図１】
0003170542.tif 000003
【図２】
0003170542.tif 000004